(57)【要約】【課題】接着剤の接着力が弱まった場合であっても爪の表面から剥がれ落ちることがない陥入爪矯正具及び陥入爪矯正具保持材を提供する。【解決手段】ゲル状基材１２は、軟膏１２ａにフェライト磁石やネオジム系磁石等の磁性体１２ｂの粉末を混合させたものである。母指Ａと陥入爪Ｂとの間隙に塗り込まれたゲル状基材１２の磁性体１２ｂと、貼着した陥入爪矯正具１１の磁性体層又は混合された磁性体とが陥入爪Ｂを間にして、互いに強く引き合うことで陥入爪矯正具１１の保持がなされる。陥入爪Ｂの表面に貼付した陥入爪矯正具１１は、接着剤の接着力が時間と伴に弱くなったとしても、磁性体１２ｂと、陥入爪矯正具１１の磁性体層又は磁性体とが磁力により保持することになり、陥入爪Ｂから陥入爪矯正具１１が剥がれ落ちることを防止することができる。【選択図】図４
2014083146.tif 000002
【特許請求の範囲】
【請求項１】
接着剤により爪甲の表面に貼着する長片状の板状体であって、該板状体は形状記憶部材又は超弾性部材と、磁性体とを含むことを特徴とする陥入爪矯正具。
【請求項２】
前記板状体は形状記憶部材又は超弾性部材から成る第１の層と、磁性体を含む第２の層とから成ることを特徴とする請求項１に記載の陥入爪矯正具。
【請求項３】
前記板状体は形状記憶部材又は超弾性部材から成る層に磁性体の粉末を混合したものであり、接着剤により爪甲の表面に貼着することを特徴とする請求項１に記載の陥入爪矯正具。
【請求項４】
爪甲の裏面に塗付するゲル状基材であって、該ゲル状基材に磁性体の粉末を混合したことを特徴とする陥入爪矯正具保持材。
【請求項５】
前記ゲル状基材は薬用成分を有することを特徴とする請求項４に記載の陥入爪矯正具保持材。
【請求項６】
前記ゲル状基材は接着成分を有することを特徴とする請求項４又は請求項５に記載の陥入爪矯正具保持材。
【発明の詳細な説明】
【技術分野】
【０００１】
本発明は、爪からの剥がれ落ちを防止する機能を有し陥入爪を矯正する陥入爪矯正具及び陥入爪矯正具保持材に関するものである。
【背景技術】
【０００２】
陥入爪は爪甲の側縁が内側に巻き込むように屈曲して、爪溝や側爪郭に喰い込み、足指の軟質組織を圧迫して疼痛を発生させる疾患である。その防止治具として、特許文献１に開示されている形状記憶合金又は形状記憶樹脂材を使用した陥入爪矯正具が知られている。
【０００３】
この陥入爪矯正具１は図５に示すように、板状体２を母趾Ａの陥入爪Ｂの表面に接着剤を用いて隙間がないように貼着し、上側から全体を軽く押圧して接着剤が乾いて完全に接着されるまで保持する。このような状態において、予め所定形状を記憶させた所定温度まで暖めると、形状記憶合金又は形状記憶樹脂材は記憶を取り戻し、所定の偏平又は反り返えった形状に復元しようとする。
【０００４】
従って、図６に示すように板状体２は矢印方向に復元する力が発生し、陥入爪Ｂは特にその縁部においてその屈曲形状とは逆方向に反るように引っ張られる。このような力の作用状態を所定時間実施し、又は繰り返して実施することにより、次第に陥入爪Ｂの屈曲が偏平となるように矯正されてゆく。
【０００５】
また、特許文献２には、フェライトのような磁性体の粉末を混合し、これを着磁することにより患部に磁場を面状に与える軟膏が記載されている。
【先行技術文献】
【特許文献】
【０００６】
【特許文献１】特開平８−２１５２２７号公報
【特許文献２】実用新案登録３１３９４５６号公報
【発明の概要】
【発明が解決しようとする課題】
【０００７】
特許文献１の陥入爪矯正具は接着剤を陥入爪Ｂの表面の一部に塗布した後に陥入爪Ｂに貼着するが、貼着直後は強固に固定されているものの、入浴等を繰り返し、或いは時間の経過に伴って、接着剤の接着力は徐々に弱くなり剥がれ落ち易くなる。
【０００８】
板状体２が剥がれ落ちた場合は、再度陥入爪Ｂの表面に接着剤を用いて板状体２を張り直せばよいが、板状体２の大きさは幅２ｍｍ、長さ２０ｍｍ、厚さ０．５ｍｍ程度の小さいものである。従って、剥がれ落ちてしまった場合に、剥がれたことに気が付かずに何処かに紛失してしまうという問題がある。
【０００９】
そして、このような陥入爪矯正具は形状記憶部材又は超弾性部材から成るため高価であり、紛失すると患者にとって大きな負担となる。
【００１０】
本発明の目的は、陥入爪を矯正し、陥入爪からの剥がれ落ちを防止できる陥入爪矯正具及び陥入爪矯正具保持材を提供することにある。
【課題を解決するための手段】
【００１１】
上記目的を達成するための本発明に係る陥入爪矯正具は、接着剤により爪甲の表面に貼着する長片状の板状体であり、該板状体は形状記憶部材又は超弾性部材と、磁性体とを含むことを特徴とする。
【００１２】
また、本発明に係る陥入爪矯正具保持材は、爪甲の裏面に塗付するゲル状基材であり、該ゲル状基材に磁性体の粉末を混合したことを特徴とする。
【発明の効果】
【００１３】
本発明に係る陥入爪矯正具及び陥入爪矯正具保持材によれば、陥入爪を介してゲル状基材に含まれる磁性体及び陥入爪矯正具に含まれる磁性体が磁力により引き合うので、接着剤の接着力が弱まった場合であっても爪の表面から剥がれ落ちることがなくなる。
【図面の簡単な説明】
【００１４】
【図１】実施例の陥入爪矯正具の断面図である。
【図２】母趾と陥入爪の断面図である。
【図３】陥入爪に陥入爪矯正具を使用した状態の断面図である。
【図４】斜視図である。
【図５】従来例の説明図である。
【図６】従来例の説明図である。
【発明を実施するための形態】
【００１５】
本発明を図１〜図４に図示の実施例に基づいて詳細に説明する。
図１の断面図に示すように、実施例の陥入爪矯正具１１は２層から成る幅２ｍｍ、長さ２０ｍｍ、厚さ０．５ｍｍ程度の長片状の板状体とされている。この板状体の上層側には第１の層である形状記憶部材又は超弾性部材から成る形状保持材層１１ａとされ、下層側には第２の層である磁性体層１１ｂとされている。形状記憶部材は形状記憶合金や形状記憶樹脂材から成り、超弾性部材は超弾性合金や超弾性樹脂材から成る。
【００１６】
なお、陥入爪矯正具１１の大きさは爪の面積等に応じて適宜に変更できる。また、陥入爪矯正具１１は形状記憶部材又は超弾性部材の材料にフェライト磁石やネオジム系磁石等の磁性体の粉末を混合させたものの１層構造としてもよい。
【００１７】
図２は母趾Ａと陥入爪Ｂの断面図であり、陥入爪Ｂの裏面と母趾Ａの間には陥入爪Ｂによる爪の変形により、間隙Ｃが生じている。
【００１８】
後述するように、この間隙Ｃに埋め込むゲル状基材１２は、陥入爪矯正具１１を保持するための保持材であり、傷薬や抗生物質等の薬用成分を有する軟膏１２ａにフェライト磁石やネオジム系磁石等の磁性体１２ｂの粉末を混合させたものである。軟膏１２ａは人体に影響がないものであれば、薬用成分を有しないものであってもよい。また、軟膏１２ａに硬化することのない接着成分を含有させてもよく、接着成分により耐水性、耐久性が向上する。
【００１９】
図３は陥入爪Ｂに対する陥入爪矯正具１１及びゲル状基材１２を使用する場合の断面図であり、図４は斜視図である。ゲル状基材１２を間隙Ｃ内の陥入爪Ｂの裏面の全幅に渡って奥の方まで塗り込む。このゲル状基材１２は入浴等で或る程度溶けて流れてしまうため、入浴後に塗り込むことが効果的である。
【００２０】
次に、ゲル状基材１２が塗り込まれている陥入爪Ｂの表面に接着剤１１ｃを介して陥入爪矯正具１１を貼着する。形状記憶部材を含む陥入爪矯正具１１では、貼着時には形状記憶部材による陥入爪Ｂの屈曲形状とは逆方向に反る力が発生していないため、容易に貼着することが可能である。これに対して、超弾性部材を含む陥入爪矯正具１１では、貼着時には超弾性部材による陥入爪Ｂの屈曲形状とは逆方向に反る力が常に発生しているため、貼着させることは多少困難である。
【００２１】
しかし、形状記憶部材を含む陥入爪矯正具１１は、陥入爪Ｂの屈曲形状とは逆方向に反る力を発生させるために加熱手段等により雰囲気温度を所定の温度に上昇させる必要があるが、超弾性部材を含む陥入爪矯正具１１は、陥入爪Ｂの屈曲形状とは逆方向に反る力が常に発生しているため、所定の温度に上昇させる必要がなく、陥入爪Ｂを早く矯正させることができる。
【００２２】
塗り込まれたゲル状基材１２の磁性体１２ｂと、貼着した陥入爪矯正具１１の磁性体層１１ｂ又は混合された磁性体とが陥入爪Ｂを間にして、互いに強く引き合うことで陥入爪矯正具１１の保持がなされる。
【００２３】
陥入爪Ｂの表面に貼付した陥入爪矯正具１１は、接着剤１１ｃの接着力が時間と伴に弱くなったとしても、磁性体１２ｂと陥入爪矯正具１１との磁性体層１１ｂ又は磁性体とが磁力により互いに保持することになり、陥入爪Ｂから陥入爪矯正具１１が剥がれ落ちることを防止することができる。
【符号の説明】
【００２４】
１１  陥入爪矯正具
１２  ゲル状基材
Ａ  母趾
Ｂ  陥入爪
Ｃ  間隙
【図１】
2014083146.tif 000003
【図２】
2014083146.tif 000004
【図３】
2014083146.tif 000005
【図４】
2014083146.tif 000006
【図５】
2014083146.tif 000007
【図６】
2014083146.tif 000008
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
磁性体の粉末を混合したゲル状基材から成り爪甲の裏面に塗付する陥入爪矯正具保持材と共働して陥入爪を矯正する陥入爪矯正具であって、
磁性体を含む形状記憶部材又は磁性体を含む超弾性部材から成り、接着剤により爪甲の表面に貼着する長片状の板状体であることを特徴とする陥入爪矯正具。
【請求項２】
前記板状体は形状記憶部材又は超弾性部材から成る第１の層と、磁性体を含む第２の層とから成ることを特徴とする請求項１に記載の陥入爪矯正具。
【請求項３】
前記板状体は形状記憶部材又は超弾性部材から成る層に磁性体の粉末を混合したことを特徴とする請求項１に記載の陥入爪矯正具。
【請求項４】
磁性体を含む形状記憶部材又は磁性体を含む超弾性部材から成り、接着剤により爪甲の表面に貼着する長片状の板状体である陥入爪矯正具と共働して陥入爪を矯正する陥入爪矯正具保持材であって、
磁性体の粉末を混合したゲル状基材から成り爪甲の裏面に塗付することを特徴とする陥入爪矯正具保持材。
【請求項５】
前記ゲル状基材は薬用成分を有することを特徴とする請求項４に記載の陥入爪矯正具保持材。
【請求項６】
前記ゲル状基材は接着成分を有することを特徴とする請求項４又は５に記載の陥入爪矯正具保持材。
【手続補正２】
【補正対象書類名】明細書
【補正対象項目名】００１１
【補正方法】変更
【補正の内容】
【００１１】
上記目的を達成するための本発明に係る陥入爪矯正具は、磁性体の粉末を混合したゲル状基材から成り爪甲の裏面に塗付する陥入爪矯正具保持材と共働して陥入爪を矯正する陥入爪矯正具であって、磁性体を含む形状記憶部材又は磁性体を含む超弾性部材から成り、接着剤により爪甲の表面に貼着する長片状の板状体であることを特徴とする。
【手続補正３】
【補正対象書類名】明細書
【補正対象項目名】００１２
【補正方法】変更
【補正の内容】
【００１２】
また、本発明に係る陥入爪矯正保持材は、磁性体を含む形状記憶部材又は磁性体を含む超弾性部材から成り、接着剤により爪甲の表面に貼着する長片状の板状体である陥入爪矯正具と共働して陥入爪を矯正する陥入爪矯正具保持材であって、磁性体の粉末を混合したゲル状基材から成り爪甲の裏面に塗付することを特徴とする。